(57)【要約】【課題】移動設置可能に構成されるユニットハウスおよびその製造方法において、効率的にユニットハウスの製造ができ、修理作業が容易なユニットハウスおよびその製造方法を提供する。【解決手段】水洗器具を備えた、移動設置可能に構成されたユニットハウス１において、前記水洗器具の汚水を浄化し、再利用する水洗器具ユニット３と、前記水洗器具ユニット３と別体のユニットとして形成される共に、この水洗器具ユニット３に着脱可能に形成された、前記水洗器具ユニット３を覆うハウジング２とから構成されている。【選択図】      図１
2004257185.tif 000002
【特許請求の範囲】
【請求項１】
水洗器具を備えた、移動設置可能に構成されたユニットハウスにおいて、
前記水洗器具の汚水を浄化し、再利用する水洗器具ユニットと、
前記水洗器具ユニットと別体のユニットとして形成される共に、この水洗器具ユニットに着脱可能に形成された、前記水洗器具ユニットを覆うハウジングと、
を備えることを特徴とするユニットハウス。
【請求項２】
前記水洗器具ユニットにはガイド部材が設けられ、前記ハウジングは前記ガイド部材に案内されて、水洗器具ユニットに装着されることを特徴とする請求項１に記載されたユニットハウス。
【請求項３】
水洗器具を備えた、移動設置可能に構成されたユニットハウスにおいて、
前記水洗器具の汚水を浄化し、再利用する水洗器具ユニットを製造する工程と、
前記水洗器具ユニットと別体のユニットとして、この水洗器具ユニットに着脱可能に形成される、前記水洗器具ユニットを覆うハウジングを製造する工程と、
前記水洗器具ユニットに前記ハウジングを装着し、一体化する工程と、
を少なくとも含むことを特徴とするユニットハウスの製造方法。
【請求項４】
前記水洗器具ユニットを製造する工程と前記ハウジングを製造する工程は、別個独立で並行して行なわれ、その後、前記水洗器具ユニットに前記ハウジングを装着し、一体化することを特徴とする請求項３に記載されたユニットハウスの製造方法。
【発明の詳細な説明】
【０００１】
【発明の属する技術分野】
本発明は、移動設置が可能なユニットハウスおよびその製造方法に関し、例えば便器等の水洗器具を備え、該水洗器具の汚水を浄化し、再利用する水洗器具ユニットを備えたユニットハウスおよびその製造方法に関する。
【０００２】
【従来の技術】
野外のイベント会場や建設現場等においては、移動設置可能な仮設トイレが設置される。このような仮設トイレにおいて、水道水等の水源が確保できない場合には、仮設トイレを設置することができず、あるいはまた限られた水の中で汚水等の洗浄を行われなければならなかった。また、タンクに汚水を溜め込んだ後に汲み取る方式では、汲み取り作業を行う必要があった。
【０００３】
これら問題を解決する仮設トイレとして、便槽内の汚水を浄化することで便器の洗浄水として再利用し、汚水の汲み取りや上水道の使用量を少なくする、いわゆる循環式の仮設トイレが提案されている。
例えば、特開平１１−３３３４９７号公報（特許文献１）には、上下水道との接続を行うことなく、比較的長期間にわたって使用できる自己完結式の循環式排水浄化ユニットが提案されている。
【０００４】
この特開平１１−３３３４９７号公報に記載された循環式排水浄化ユニットを、図３に基づいて説明する。尚、図３は排水浄化ユニットの使用状態を示す平面図である。
図中、符号５０の循環式排水浄化ユニットは、排液浄化ユニット５１がハウジングであるトイレ建物５４で覆われるように構成されている。また、前記排液浄化ユニット５１は、複数の便器５２やシャワーユニット５３を備えており、夫々の便器５２やシャワーユニット５３は、トイレ建物５４と一体に組み付けられたブースパネル５４ａによって区切られた空間に設けられている。
【０００５】
ところで、図３における循環式排水浄化ユニット５０は、トイレ建物５４作り、その内部を複数のブースパネル５４ａで区切り、このブースパネル５４ａで区切られた夫々の空間に便器５２やシャワーユニット５３を設置することにより、製造される。
そして、製造された循環式排水浄化ユニット５０は、トイレ建物５４に便器５２やシャワーユニット５３が設置された一体物となり、一体物となった循環式排水浄化ユニット５０は所定の場所に搬送され、設置される。
【０００６】
【特許文献１】
特開平１１−３３３４９７号公報（第１７頁左欄第２６行乃至第３６行、第１８図）
【０００７】
【発明が解決しようとする課題】
前記したように、従来の循環式排水浄化ユニットにあっては、トイレ建物を作り、その内部を複数のブースパネルで区切る工程が終了した後でなければ、便器やシャワーユニットを設置することができず、生産の効率上好ましくないという技術的課題があった。
また、トイレ建物あるいは排水浄化ユニットのいずれかに、設置場所において修復不可能な故障が生じた場合、循環式排水浄化ユニット全体を交換しなければならないという技術的課題があった。
【０００８】
本発明は、前記した技術的課題を解決するためになされたものであり、移動設置可能に構成されたユニットハウスおよびその製造方法において、効率的にユニットハウスの製造ができ、しかも修理作業が容易なユニットハウスおよびその製造方法を提供することを目的とする。
【０００９】
【課題を解決するための手段】
上記目的を達成するためになされた本発明にかかるユニットハウスは、水洗器具を備えた、移動設置可能に構成されたユニットハウスにおいて、前記水洗器具の汚水を浄化し、再利用する水洗器具ユニットと、前記水洗器具ユニットと別体のユニットとして形成される共に、この水洗器具ユニットに着脱可能に形成された、前記水洗器具ユニットを覆うハウジングとを備えることを特徴としている。
【００１０】
このように、水洗器具ユニットとハウジングとを別体のユニットとして形成しているため、夫々の別の製造ラインで製造することができ、ユニットハウスの製造時間を従来よりも短縮することができる。
また、水洗器具ユニットとハウジングとを別体のユニットとして形成しているため、種々の水洗器具ユニットとハウジングを製作し、使用者の嗜好に応じて、水洗器具ユニットとハウジングとを任意の組み合わせることができる。
更に、水洗器具ユニットとハウジングのいずれか一方に、修理の必要性が生じた場合には、水洗器具ユニットとハウジングとが着脱可能に形成されているため、修理が必要な一方のみを正常な別のものと交換することができ、利用者がユニットハウスを利用できない時間を極力少なくすることができる。
【００１１】
ここで、前記水洗器具ユニットにはガイド部材が設けられ、前記ハウジングは前記ガイド部材に案内されて、水洗器具ユニットに装着されることが望ましい。このように、ガイド部材が設けられているため、水洗器具ユニットにハウジングを装着する作業を容易に行うことができる。
【００１２】
また、上記目的を達成するためになされた本発明にかかるユニットハウスの製造方法は、水洗器具を備えた、移動設置可能に構成されたユニットハウスにおいて、前記水洗器具の汚水を浄化し、再利用する水洗器具ユニットを製造する工程と、前記水洗器具ユニットと別体のユニットとして、この水洗器具ユニットに着脱可能に形成される、前記水洗器具ユニットを覆うハウジングを製造する工程と、前記水洗器具ユニットに前記ハウジングを装着し、一体化する工程とを少なくとも含むことを特徴としている。
【００１３】
このユニットハウスの製造方法によれば、水洗器具ユニットとハウジングとを別体のユニットとして形成するため、種々の水洗器具ユニットとハウジングを製作し、使用者の嗜好に応じて、水洗器具ユニットとハウジングと任意の組み合わせることができる。
また、水洗器具ユニットとハウジングとを別体のユニットとして形成するため、水洗器具ユニットに前記ハウジングを装着し一体化する工程を設置現場で行うことができ、従来のように一体物となった循環式排水浄化ユニットを搬送する場合に比べて、容易に搬送することができる。
【００１４】
ここで、前記水洗器具ユニットを製造する工程と前記ハウジングを製造する工程は、別個独立で並行して行なわれ、その後、前記水洗器具ユニットに前記ハウジングを装着し、一体化することが望ましい。
このように、水洗器具ユニットとハウジングとを同時並行で製造することにより、ユニットハウスの製造時間を、従来と比べて短縮することができ、効率的にユニットハウスを製造できる。
【００１５】
【発明の実施の形態】
以下、本発明にかかるユニットハウスおよびその製造方法の一実施形態について、図１に基づいて説明する。なお、図１は、一実施形態にかかるユニットハウスを構成する水洗器具ユニットとハウジングの斜視図である。
【００１６】
図１において、水洗器具ユニット３は、基台３ａと、前記基台３ａの上に載置された便器５と、基台３ａの上に載置された複数の槽からなる浄化槽６と、前記便器５と前記浄化槽６とを連結し、汚水を循環させるためのポンプ等からなる循環装置（図示せず）とから構成されている。
即ち、この水洗器具ユニット３は、水洗用の便器５を備えることで水洗トイレとして機能し、前記循環装置によって汚水を複数の浄化槽６に送り、該浄化槽６により汚水を浄化し、水洗用の水として再び利用することができるように構成されている。なお、前記水洗器具ユニット３は、後述するハウジング２とは別体のユニットとして製造され、この水洗器具ユニット３内に、水洗トイレとして必要な器具、装置が全て配置されている。
【００１７】
また、この水洗器具ユニット３の基台３ａの外周部には、ハウジング２を容易に着脱させるためのガイド部材である複数のガイドレール４が、所定の間隔をもって設けられている。
【００１８】
一方、ハウジング２は、無地の建材によって屋根、側壁からなる壁パネル１０によって構成され、前記壁パネル１０には換気窓１１、浄化槽６の点検時に点検者が出入りするためのドア１２、トイレ利用者が出入りするためのドア１３等が設けられている。これら以外のハウジング２に付随するものは、ハウジング２の製造工程において、ハウジング２に取り付けられる。
また、このハウジング２の下端部外周部には、前記ガイドレール４に嵌入し、前記ガイドレール４に沿って移動可能なガイド部材（図示せず）が設けられている。なお、トイレハウス１内の夫々の便器５を仕切るパネルは水洗器具ユニット３に対してハウジング２を装着した後に取り付けられる。
【００１９】
このように形成されたハウジング２および水洗器具ユニット３は、別の製造ラインで別々に製造される。そして、ハウジング２及び水洗器具ユニット３を所定の設置場所に搬送し、その場所において、水洗器具ユニット３に対してハウジング２を装着し、両者を結合、一体化する。
即ち、水洗器具ユニット３の上方からハウジング２を徐々に降ろし、水洗器具ユニット３のガイドレール４にハウジング２のガイド部材（図示せず）を嵌入し、前記ガイドレール４に沿って、ハウジング２のガイド部材を移動させることにより、水洗器具ユニット３に対してハウジング２を装着する。そして、最後に両者をボルトで固定、一体化する。その後、ハウジング２内に便器５を仕切るパネルを取り付け、ユニットハウスであるトイレハウス１として完成する。
【００２０】
この設置されたトイレハウス１における水洗トイレは、循環装置によって汚水を複数の浄化槽６に送り、該浄化槽６により汚水を浄化し、水洗用の水として再び利用することができるように構成されているため、給水、あるいは排水等のための工事を行うことなく、直ちに使用することができる。
【００２１】
また、ハウジング２と水洗器具ユニット３とのいずれか一方に故障が発生し、修理の必要性が生じた場合には、ハウジング２と水洗器具ユニット３とを結合するボルトを外し、ハウジング２を上方に引き上げることで、両者は分離する。
そして、修理が必要な一方のみを新たな正常なものと交換し、再び、ハウジング２と水洗器具ユニット３とを結合し、トイレハウスとして設置する。
このように、水洗器具ユニットとハウジングとを別体のユニットとして形成しているため、故障したユニットを新たなものと交換することができ、利用者がトイレハウスを利用できない時間を極力少なくすることができる。
【００２２】
以上説明したように、この実施形態にあっては、ハウジング２と水洗器具ユニット３とは、夫々別個に製造することができるため、夫々を製造するラインを設けることで、両者を並行して製造することができ、生産効率を向上させることができる。
また、水洗器具ユニットとハウジングのいずれか一方に、修理の必要性が生じた場合には、水洗器具ユニットとハウジングとが着脱可能に形成されているため、修理が必要な一方のみを正常な別のものと交換することができ、利用者がユニットハウスを利用することができないという弊害を防止できる。
【００２３】
また、前記一実施の形態においては、ハウジング２の建材として、無地のパネルによって形成されたものを示したが、ハウジング２と水洗器具ユニット３とが別々のユニットで製造されることを利用し、次のようなことも行うことができる。
即ち、図２（ａ）に示すようにハウジング２が木目調で傾斜屋根を持つものや図２（ｂ）に示すようにハウジング２がレンガ調のもの等を、オプションとして用意してもよい。なお、水洗器具ユニット３は両者に共通のものが用意される。
【００２４】
このように、オプションとして多数のハウジング２が用意されている場合には、ユニットハウスであるトイレハウス１が設置される場所の雰囲気に合ったハウジングを選択することができ、使用者の嗜好に応じて、水洗器具ユニットとハウジングとを組み合わせることができる。
また、水洗器具ユニット３は複数のハウジング２に対して共用できるためかかるコストの低減が可能である。
なお、前記例にあっては、水洗器具ユニット３は共通のものとして説明したが、水洗器具ユニット３の便器数、様式が異なるタイプのものを複数用意しておくことによって、イベント等の利用環境に応じた使途に幅広く対応できるようにしても良い。
【００２５】
また、前記一実施の形態において、水洗器具ユニット３には汚水が発生する器具として便器５のみを設置する構成としたが、便器の他に手洗い器やシャワーユニット等の水洗器具を設置する構成としても良い。
【００２６】
【発明の効果】
以上の説明で明らかなとおり、移動設置可能に構成されるユニットハウスおよびその製造方法において、効率的にユニットハウスの製造ができ、修理作業が容易なユニットハウスおよびその製造方法を提供することができる。
【図面の簡単な説明】
【図１】図１は、本発明にかかるユニットハウスを構成する水洗器具ユニットとハウジングの斜視図である。
【図２】図２は、ハウジングの形態例を示す側面図である。
【図３】図３は、従来の循環式排水浄化ユニットを示す断面図である。
【符号の説明】
１        トイレハウス
２        ハウジング
３        水洗器具ユニット
４        ガイドレール
５        便器
６        浄化槽
１０      壁パネル
１１      換気窓
１２      ドア
１３      ドア
【図１】
2004257185.tif 000003
【図２】
2004257185.tif 000004
【図３】
2004257185.tif 000005